(57)【要約】【課題】特定の使用者に対しての使用制限を容易に設定することができる画像処理装置を提供する。【解決手段】パターン検知部５３によって入力された画像データ内の特定のパターンを検知し、予め設定された特定のパターンをシステムコントローラ６によって検知したときは、システムコントローラ６がその画像データの出力処理を禁止すると同時に、その画像データの出力を実行しようとした使用者に対して管理テーブルに従った使用制限を課す。【選択図】図６
2008227611.tif 000002
【特許請求の範囲】
【請求項１】
入力された画像データ内の特定のパターンを検知するパターン検知手段と、使用者を認識する使用者認識装置とを備え、使用制限の内容を記述する管理テーブルにしたがって前記画像データを記録媒体に印字する画像処理装置において、
予め設定された特定のパターンを前記パターン検知装置が検知したとき、その画像データの出力処理を禁止すると同時に、その画像データの出力を実行しようとした使用者に対して前記管理テーブルに従った使用制限を課す制御手段を備えていることを特徴とする画像処理装置。
【請求項２】
請求項１記載の画像処理装置において、
前記制御手段は、管理者のＩＤとパスワードの少なくとも一方を識別することにより、管理者のみが前記管理テーブルの内容の編集を可能とすることを特徴とする画像処理装置。
【請求項３】
請求項２記載の画像処理装置において、
前記制御手段は、使用者が使用制限を課されている最中に、管理者のみが前記使用者に対する前記管理テーブルの使用制限の情報を変更可能とすることを特徴とする画像処理装置。
【請求項４】
請求項２記載の画像処理装置において、
前記制御手段は、不正コピーを実行した過去の履歴に応じて前記管理テーブルの内容を変更することを特徴とする画像処理装置。
【請求項５】
請求項１記載の画像処理装置において、
前記制御手段は、前記使用制限として前記使用者が使用する際にデータ出力を不忠実にすることを特徴とする画像処理装置。
【請求項６】
請求項１記載の画像処理装置において、
前記制御手段は、前記使用制限として画像処理装置の使用を不能にすることを特徴とする画像処理装置。
【請求項７】
請求項５又は６記載の画像処理装置において、
前記使用制限が一定期間であることを特徴とする画像処理装置。
【請求項８】
請求項２記載の画像処理装置において、
前記制御手段は出力アプリケーションに応じて、出力可能、不忠実な再現、出力不能のいずれかを設定することを特徴とする画像処理装置。
【発明の詳細な説明】
【技術分野】
【０００１】
本発明は、予め設定された特定な画像パターンに対して不正に出力されないようにした画像処理装置に関する。
【背景技術】
【０００２】
近年、情報セキュリティ管理の安全性が重要視されてきている。そこで、使用者が作成した紙原稿が不特定多数の人々に公開されないようにする目的で、原稿作成時にある特定のパターンを原稿に印字しておき、その特定パターンが入っている原稿をスキャンしたら画像データが破壊される（原稿画像データを別のデータに変えて出力して無理つぶしがされたようになる）システムが開発されている。これは、ある特定のパターンが検出されたときに、この原稿データを破壊するため、出力データを入力データにかかわらず、ある固定値に置き換えて実現している。この技術を不正コピーガードと呼ぶ。コピーされることが好ましくないデータにこの処理を施すことによって、情報セキュリティ管理の安全性が高められている。
【０００３】
このような技術としては、例えば特許文献１には、原稿画像の画像データに含まれる背景画像に埋め込まれた背景ドットパターンを検出し、記憶領域に記憶されている出力を禁止する背景ドットパターンと比較し、その同一性を判定し、同一性が判定された場合は、画像データの出力処理を禁止することが開示されている。また、特許文献２には、個人情報とロゴデータを合成してロゴバーコード情報を生成し、そのロゴバーコード情報を印刷データにマージしてロゴ印刷データを生成し、ロゴ印刷データを指定の個所に印刷することが開示されている。更に特許文献３には、使用者の指紋検出機能を有し、コピー禁止原稿のパターンが記憶されていない文書（紙幣等）がコピーされた場合でも、指紋データにより不正コピーを行った人物を追跡することが開示されている。
【特許文献１】特開２００４−２７４０９２号公報
【特許文献２】特開２００４−１７５３８号公報
【特許文献３】特開２００６−３０１０７５号公報
【発明の開示】
【発明が解決しようとする課題】
【０００４】
しかしながら、特許文献１の技術では使用者の追跡は不可能であり、特許文献２及び３の技術では追跡は可能であるが、その後、使用者に対してどのような制限を課すかについては記述がなく、特定のパターンが検出される度に管理者を煩わせるのでは、管理者の負担が大きい。
【０００５】
そこで、本発明の課題は、特定の使用者に対しての使用制限を容易に設定することができる画像処理装置を提供することにある。
【課題を解決するための手段】
【０００６】
前記目的を達成するため、第１の手段は、入力された画像データ内の特定のパターンを検知するパターン検知手段と、使用者を認識する使用者認識手段とを備え、使用制限の内容を記述する管理テーブルにしたがって前記画像データを記録媒体に印字する画像処理装置において、予め設定された特定のパターンを前記パターン検知装置が検知したとき、その画像データの出力処理を禁止すると同時に、その画像データの出力を実行しようとした使用者に対して前記管理テーブルに従った使用制限を課す制御手段を備えていることを特徴とする。
【０００７】
第２の手段は、第１の手段において、前記制御手段が管理者のＩＤとパスワードの少なくとも一方を識別することにより、管理者のみが前記管理テーブルの内容の編集を可能とすることを特徴とする。
【０００８】
第３の手段は、第２の手段において、前記制御手段が、使用者が使用制限を課されている最中に、管理者のみが前記使用者に対する前記管理テーブルの使用制限の情報を変更可能とすることを特徴とする。
【０００９】
第４の手段は、第２の手段において、前記制御手段が、不正コピーを実行した過去の履歴に応じて前記管理テーブルの内容を変更することを特徴とする。
【００１０】
第５の手段は、第１の手段において、前記制御手段が、前記使用制限として前記使用者が使用する際にデータ出力を不忠実にすることを特徴とする。
【００１１】
第６の手段は、第１の手段において、前記制御手段が、前記使用制限として画像処理装置の使用を不能にすることを特徴とする。
【００１２】
第７の手段は、第５又は第６の手段において、前記使用制限が一定期間であることを特徴とする。
【００１３】
第８の手段は、第２の手段において、前記制御手段が出力アプリケーションに応じて、出力可能、不忠実な再現、出力不能のいずれかを設定することを特徴とする。
【００１４】
後述の実施の形態では、パターン検知手段はパターン検知部５３に、使用者認識手段及び制御手段はシステムコントローラ６にそれぞれ対応する。
【発明の効果】
【００１５】
本発明によれば、画像処理装置は管理者が使用者に対する使用制限を容易に設定でき、管理者の負担の軽減が可能となる。
【発明を実施するための最良の形態】
【００１６】
以下、図面を参照し、本発明の実施形態を説明する。この実施形態においては、画像形成装置を複写、プリンタ、ファクシミリ機能などを備えた複合機（ＭＦＰ）に適用した場合を例にとっている。図１は複合機の主要構成を示すブロック図である。
【００１７】
この複合機は、読み取りユニット１、ＳＢＵ（センサ・ボード・ユニット）２、ＣＤＩＣ（圧縮／伸張およびデータインターフェイス制御部）３、ＩＰＰ（画像処理プロセッサ）５、システムコントローラ６、プロセスコントローラ７、ＶＤＣ（ビデオ・データ制御部）８、作像ユニット９、ＩＭＡＣ（画像メモリアクセス制御部）１０、ＭＥＭ（メモリモジュール）１１、ＰＣ（外部パソコン）１２、操作部（オペレーションパネル）１３、ＲＡＭ１５，１７、ＲＯＭ１６，１８、ＰＮ（電話）１９、ＦＣＵ（ファクシミリ・コントローラ・ユニット）２０などから構成され、パラレルバス４及びシリアルバス１４等のバスを介して接続されている。
【００１８】
読み取りユニット１は、原稿を光学的に読み取るもので、原稿に対するランプ照射の反射光をミラーおよびレンズによりＣＣＤのような受光素子に集光する。受光素子は、ＳＢＵ２に搭載され、ＣＣＤによって電気信号に変換された画像信号はディジタル信号に変換された後、ＳＢＵ２から出力される。ＳＢＵ２から出力される画像信号はＣＤＩＣ３に入力される。機能デバイスおよびデータバス間における画像データの伝送はＣＤＩＣ３が全て制御する。ＣＤＩＣ３は画像データに関し、ＳＢＵ２、パラレルバス４、ＩＰＰ５間のデータ転送、システム全体の制御を司るシステムコントローラ６と画像データに対するプロセスコントローラ７間の通信を行う。ＳＢＵ２からの画像信号はＣＤＩＣ３を経由してＩＰＰ５に転送され、光学系およびディジタル信号への量子化に伴う信号劣化（スキャナ系の信号劣化とする）を補正し、再度ＣＤＩＣ３へ出力される。
【００１９】
読み取り画像はＭＥＭ１１に蓄積して再利用するジョブと、ＭＥＭ１１に蓄積しないジョブとがあり、ＭＥＭ１１に蓄積する例としては、１枚の原稿を複数枚複写する場合、読み取りユニットを１回だけ動作させ、ＭＥＭ１１に蓄積し、蓄積データを複数回読み出す使い方がある。ＭＥＭ１１を使わない例としては、１枚の原稿を１枚だけ複写する場合、読み取り画像をそのまま再生すれば良いので、メモリアクセスを行う必要はない。
【００２０】
まず、ＭＥＭ１１を使わない場合、ＩＰＰ５からＣＤＩＣ３へ転送されたデータは、再度ＣＤＩＣ３からＩＰＰ５へ戻される。ＩＰＰ５においてＣＣＤ３による輝度データを面積階調に変換するための画質処理を行う。画質処理後の画像データはＩＰＰ５からＶＤＣ（ビデオ・データ制御）８に転送する。面積階調に変化された信号に対し、ドット配置に関する後処理およびドットを再現するためのパルス制御を行い、作像ユニット９において転写紙上に再生画像を形成する。
【００２１】
ＭＥＭ１１に蓄積し画像読み出し時に付加的な処理、例えば画像方向の回転、画像の合成等を行う場合の画像データの流れを示す。ＩＰＰ５からＣＤＩＣ３へ転送されたデータは、ＣＤＩＣ３からパラレルバスを経由してＩＭＡＣ（画像メモリアクセス制御）１０に送られる。ここではシステムコントローラ６の制御に基づき画像データとＭＥＭ（メモリモジュール）１１のアクセス制御、ＰＣ１２のプリント用データの展開、メモリ有効活用のための画像データの圧縮／伸張を行う。ＩＭＡＣ１０へ送られたデータはデータ圧縮後ＭＥＭ１１へ蓄積し、蓄積データを必要に応じて読み出す。読み出しデータは伸張し、本来の画像データに戻しＩＭＡＣ１０からパラレルバス４経由でＣＤＩＣ３へ戻される。
【００２２】
ＣＤＩＣ３からＩＰＰ５への転送後は画質処理およびＶＤＣ８でのパルス制御を行い、作像ユニット９において転写紙上に再生画像を形成する。作像ユニット９の制御は読み取りが開始された時点で開始される。
【００２３】
画像データの流れにおいて、パラレルバス４およびＣＤＩＣ３でのバス制御により、ＭＦＰの機能を実現する。複数ジョブ、例えばコピー機能、ＦＡＸ送受信機能、プリンタ出力機能が並行に動作する状況において、読み取りユニット１、作像ユニット９およびパラレルバス４使用権のジョブへの割り振りをシステムコントローラ６およびプロセスコントローラ７にて制御する。
【００２４】
プロセスコントローラ７はＲＡＭ１５やＲＯＭ１６とともに画像データの流れを制御し、システムコントローラ６はＲＡＭ１７やＲＯＭ１８とともにシステム全体を制御し、各リソースの起動を管理する。
【００２５】
ＭＦＰの機能選択は操作部１３から選択入力し、処理内容を設定する。システムコントローラ６とプロセスコントローラ７はパラレルバス４、ＣＤＩＣ３およびシリアルバス１４を介して相互に通信を行う。ＣＤＩＣ３内においてパラレルバス４とシリアルバス１４とのデータインターフェイスのためのデータフォーマット変換を行う。
【００２６】
図２は図１のＣＤＩＣ３の構成を示すブロック図である。ＣＤＩＣ３は、画像データ入出力部３１、画像データ入力制御部３２、データ圧縮部３３、パラレルデータＩ／Ｆ３４、データ伸張部３５、画像データ出力制御部３６、データ変換部３７、シリアルデータＩ／Ｆ３８，３９、コマンド制御部４０などから構成されている。
【００２７】
画像データ入出力部３１はＳＢＵ２からの画像データを入力し、ＩＰＰ５に対してデータを出力する。画像データ入力制御部３２では、ＩＰＰでスキャナ画像補正されたデータが入力される。入力データはパラレルバス４での転送効率を高めるためにデータ圧縮部３３において、データ圧縮を行う。パラレルデータＩ／Ｆ３４を介してパラレルバスへ送出される。パラレルデータバスからパラレルデータＩ／Ｆ３４を介して入力される画像データは、バス転送のために圧縮されており、データ伸張部３５で伸張される。
【００２８】
伸張部３５で伸張された画像データは、画像データ出力制御部３６においてＩＰＰ５へ転送される。ここでの圧縮伸張に使われる符号化方式の一例としては、ＭＦＰに適している符号語長が固定な方式が挙げられる。固定長の符号化方式は、符号状態で符号化前の画像の位置がわかるために任意の部分の画像のみを再生することが可能である。また、画像加工や編集性にも適している。
【００２９】
データ変換部３７はパラレルデータとシリアルデータの変換機能を併せ持つ。システムコントローラ６はパラレルバス４にデータを転送し、プロセスコントローラ７はシリアルバス１４にデータを転送する。２つのコントローラ間での通信のためにデータ変換を行う。シリアルデータＩ／Ｆ３８，３９はＩＰＰ５用にも更に１系統持ち、ＩＰＰ５ともＩ／Ｆを行う。
【００３０】
図３は図１のＩＭＡＣ１０の構成を示すブロック図である。このＩＭＡＣ１０は、パラレルデータＩ／Ｆ部４１、ラインバッファ４２、システムコントローラＩ／Ｆ４３、ビデオ制御部４４、データ変換部４５、データ圧縮部４６、メモリアクセス制御部４７、データ伸張部４８などから構成されている。
【００３１】
パラレルデータＩ／Ｆ部４１において、パラレルバス４との画像データのインターフェイスを管理する。構成的にはＭＥＭ１１への画像データの格納／読み出しと、主に外部のＰＣから入力されるコードデータの画像データへの展開を制御する。ここでいうＭＥＭ１１の例としては半導体メモリ、ハードディスク、もしくはその両方である。入力されたコードデータはラインバッファ４２において、ローカル領域でのデータの格納を行う。ラインバッファ４２に格納されたコードデータは、システムコントローラＩ／Ｆ４３を介して入力されたシステムコントローラからの展開処理命令に基づき、ビデオ制御部４４において画像データに展開される。展開された画像データもしくはパラレルデータＩ／Ｆ４１を介してパラレルバス４から入力された画像データは、ＭＥＭ１１に格納される。この場合、データ変換部４５において格納対象となる画像データを選択し、データ圧縮部４６においてメモリ使用効率を上げるためにデータ圧縮を行い、メモリアクセス制御部４７にてＭＥＭ１１のアドレスを管理しながらＭＥＭ１１に画像データを格納する。ここでの圧縮伸張に使われる符号化方式の一例としては、ＭＥＭ１１の領域節約に適した高能率な符号化方式が挙げられる。これは前述したＣＤＩＣ３に要求される機能重視の符号化方式と異なり、効率重視の符号化方式である。ＭＥＭ１１に格納された画像データの読み出しは、メモリアクセス制御部４７にて読み出し先アドレスを制御し、読み出された画像データをデータ伸張部４８にて伸張する。伸張された画像データをパラレルバス４へ転送する場合、パラレルデータＩ／Ｆ４１を介してデータ転送を行う。
【００３２】
図４は図１のＩＰＰ５の構成を示すブロック図である。このＩＰＰ５は、入力Ｉ／Ｆ５１，５６、スキャナ画像処理部５２、パターン検知部５３、コマンド制御部５４、出力Ｉ／Ｆ５５，５８、及び画質処理部５７から構成されている。
【００３３】
なお、前提として原稿画像にはある特定のパターンが画像として埋め込まれているものとする。読み取り画像はＳＢＵ２、ＣＤＩＣ３を介してＩＰＰ５の入力Ｉ／Ｆ５１からスキャナ画像処理部５２へ送られる。ここで、入力画像データは本来のスキャナ画像処理部５２においてスキャナ画像処理が行われると同時にパターン検知部５３にも画像データが分岐され、画像データ内の特定パターンを検知する。検知した情報はコマンド制御部５４を介してプロセスコントローラ７へ通知される。特定パターン検知部では検知だけで画像データの変更は行われない。プロセスコントローラ７はパターン検知の通知を受けるとスキャナ画像処理部５２の制御を即座に変更し、出力画像データを入力データにかかわらず、出現させないようにする。
【００３４】
通常、スキャナ画像処理のパスでは読み取り画像信号の劣化補正が目的のシェーディング補正、スキャナγ補正、ＭＴＦ補正等を行う。補正処理ではないが、拡大／縮小の変倍処理も行う。読み取り画像データの補正処理終了後、出力Ｉ／Ｆ５５を介してＣＤＩＣ３へ画像データを転送する。転写紙への出力はＣＤＩＣ３からの画像データを入力Ｉ／Ｆ５６より受け、画質処理部５７において面積階調処理を行う。画質処理後のデータは出力Ｉ／Ｆ５８を介してＶＤＣ８へ出力される。面積階調処理は濃度変換、ディザ処理、誤差拡散処理等があり、階調情報の面積近似を主な処理とする。一旦スキャナ画像処理された画像データをメモリに蓄積しておけば、画質処理を変える事によって種々の再生画像を確認することができる。例えば再生画像の濃度を振ってみたり、ディザマトリクスの線数を変更してみたりする事で、再生画像の雰囲気を変更できる。この時処理を変更する度に画像を読み取りユニット１から読み込み直す必要はなく、ＭＥＭ１１から格納画像を読み出せば同一データに対し、何度でも異なる処理を実施できる。また、単体スキャナの場合、スキャナ画像処理と階調処理を合せて実施し、ＣＤＩＣ３へ出力する。
【００３５】
図５は特定のパターン検知が行われた場合のデータの流れの一例を示す図で、プロセスコントローラ７がパターン検知部５３で検知した情報を受けると、スキャナ画像処理部５２において処理された画像は出力Ｉ／Ｆ５５を介してＣＤＩＣ３へ画像データを転送する。更に画像データは、パラレルデータＩ／Ｆ３４を介して、信号の流れを示す実線Ａで示すように、パラレルバス４へデータ転送を行い、ＭＥＭ１１に画像データを格納する。一方で、パターン検知の通知を受けなかった画像データのみが出力Ｉ／Ｆ５５、ＣＤＩＣ３、入力Ｉ／Ｆ５６を介して画質処理部５７へ転送され、面積階調処理を行う。画質処理後のデータは出力Ｉ／Ｆ５８を介してＶＤＣ８へ出力される。
【００３６】
図６は本発明における基本的な制御例を説明するための図である。すなわち、使用者Ｘが操作部１３からその使用者ＸのＩＤとパスワードを入力し、不正コピーが行われた場合、パターン検知部５３からＩＭＡＣ１０を介してジョブの情報をシステムコントローラ６に転送する。システムコントローラ６では、予め設定されている管理テーブルに従った制限を使用者Ｘに課す。
【００３７】
図７は第１の制御例を示す説明図である。この第１の制御例は、ある特定のパターンが描かれたデータをパターン検知部５３によって検知したとき、画像データの出力処理を禁止すると同時に、その画像データの出力を実行しようとした使用者に対して管理テーブルに従った使用制限を課するものである。そこで、図７に示すように、管理者Ｙが操作部１３から管理者ＹのＩＤとパスワードを入力することによって、システムコントローラ６から管理テーブルを呼び出し、管理テーブルの内容を操作部１３上から編集する。
【００３８】
図８は管理テーブルの一例を示す図である。すなわち、管理テーブルは各使用者に対して現在の状態、制限時間（出力アプリケーションの使用が制限される時間）、残り時間（使用制限が解除される時間）、不正コピー回数履歴、出力アプリケーション（コピー、プリンタ、スキャナ、ファックス）の使用制限の内容などが記述されている。したがって、管理者Ｙはこの管理テーブルを見ながら、前記不正コピーを行った使用者Ｘに対する制限等を設定すればよい。
【００３９】
このように第１の制御例により、管理者が設定した使用者に対する自動的な制限が画像処理装置によって可能となり、管理者の負担を軽減することができる。
【００４０】
図９は第２の制御例を示す説明図である。この第２の制御例では、管理者のみが管理テーブルの内容の編集が可能とし、かつ使用者が使用制限を課されている最中に、その使用者に対する管理テーブルに記述されている使用制限の情報を変更するものである。すなわち、管理者Ｙが操作部１３から管理者のＩＤとパスワード、使用者ＸのＩＤを入力することによって、システムコントローラ６から管理テーブルを呼び出し、現時点での使用者の使用制限の情報を操作部１３上から変更する。使用者の制限は、図８の管理テーブルにおいて、不正コピー回数履歴に応じて制限時間を設定すればよい。管理者を限定しての変更は、管理者のＩＤとパスワードによって管理者であることを識別するようにすればよい。これにより、管理者による使用制限の強弱の設定が可能となり、管理者の意思の反映が可能となる。
【００４１】
図１０は第３の制御例を示す説明図である。この第３の制御例では、管理者のみが使用者が使用制限を課されている最中に、その使用者に対する管理テーブルに記述されている使用制限の情報を変更する。すなわち、制限が課されている使用者Ｘが操作部１３から使用者ＸのＩＤとパスワードを入力し、出力処理を実行しようとした場合、作像ユニット９がＩＭＡＣ１０を介してシステムコントローラ６から管理テーブルを参照し、不忠実な画像を出力する。これにより、使用者の危険性に応じた対応が可能となり、セキュリティレベルの詳細な設定が可能となる。
【００４２】
図１１は第４の制御例を示す説明図である。この第４の制御例では、使用者に対して一定期間だけ画像処理装置の使用におけるデータ出力が不忠実となるようにしている。すなわち、制限が課されている使用者Ｘが操作部１３から使用者のＩＤとパスワードを入力し、出力処理を実行しようとした場合、作像ユニット９がＩＭＡＣ１０を介してシステムコントローラ６から管理テーブルを参照し、画像データの出力を停止する。
【００４３】
この場合、図８の管理テーブルに示すように、出力アプリケーションごとに使用制限を設定しておけば、使用者に対して一定期間だけコピーあるいはプリンタの使用を不可能にすることができる。これにより、使用者に対する負担の付加が可能となり、使用者に対する心理的抑制が可能となる。
【００４４】
図１２は図１のＶＤＣ８の構成を示すブロック図である。このＶＤＣ８は、エッジ平滑処理部６１、パルス制御部６２、データ変換部６３、パラレルデータＩ／Ｆ６４、シリアルデータＩ／Ｆ６５などから構成されている。ＶＤＣ８は、入力される画像データに対し作像ユニットの特性に応じて、追加の処理を行う。エッジ平滑処理部６１におけるドットの再配置処理、パルス制御部６２におけるドット形成のための画像信号のパルス制御を行い、画像データは作像ユニットを対象として出力される。画像データの変換とは別に、パラレルデータとシリアルデータのフォーマット変換機能を併せ持ち、ＶＤＣ８単体でもシステムコントローラ６とプロセスコントローラ７の通信に対応できる。これにより、出力アプリケーションに応じて、出力可能、不忠実な再現、出力不可能など各々の出力アプリケーションの独立した制限設定が可能となり、使用制限の柔軟な変更が可能となる。
【図面の簡単な説明】
【００４５】
【図１】本発明の一実施の形態に係る複合機の主要構成を示すブロック図である。
【図２】図１のＣＤＩＣの構成を示すブロック図である。
【図３】図１のＩＭＡＣの構成を示すブロック図である。
【図４】図１のＩＰＰの構成を示すブロック図である。
【図５】特定のパターン検知が行われた場合のデータの流れの一例を示す図である。
【図６】本発明における基本的な制御例を説明するための図である。
【図７】第１の制御例を示す説明図である。
【図８】管理テーブルの一例を示す図である。
【図９】第２の制御例を示す説明図である。
【図１０】第３の制御例を示す説明図である。
【図１１】第４の制御例を示す説明図である。
【図１２】図１のＶＤＣの構成を示すブロック図である。
【符号の説明】
【００４６】
１  読み取りユニット
３  ＣＤＩＣ（圧縮／伸張およびデータインターフェイス制御部）
５  ＩＰＰ（画像処理プロセッサ）
６  システムコントローラ
７  プロセスコントローラ
８  ＶＤＣ（ビデオ・データ制御）
９  作像ユニット
１０  ＩＭＡＣ（画像メモリアクセス制御）
１２  ＰＣ（外部パソコン）
１３  操作部
５２  スキャナ画像処理部
５３  パターン検知部
【図１】
2008227611.tif 000003
【図２】
2008227611.tif 000004
【図３】
2008227611.tif 000005
【図４】
2008227611.tif 000006
【図５】
2008227611.tif 000007
【図６】
2008227611.tif 000008
【図７】
2008227611.tif 000009
【図８】
2008227611.tif 000010
【図９】
2008227611.tif 000011
【図１０】
2008227611.tif 000012
【図１１】
2008227611.tif 000013
【図１２】
2008227611.tif 000014